(57)【要約】【課題】  筐体の底面に突出部が形成されている場合にも、これを回避しながらプレートによって開口部や凹部を塞ぐことができ、プレートの位置決めや着脱を行うことが可能なディスク駆動装置を提供する。【解決手段】  ディスク駆動機構が筐体内に収容されてなるディスク駆動装置である。筐体１（下フレーム２）の底面に開口部９または凹部８の少なくとも一方、及び突出部１０が設けられるとともに、少なくともこれら開口部９または凹部８の一部を覆ってプレート１１が装着されている。プレート１１には、突出部１０に対応して開口孔１２が設けられ、開口孔１２に突出部１０を嵌合することにより位置決めされて装着される。また、プレート１１は、周縁に下フレーム２の底面の周縁部に形成されたスリット１４に係止する係止片１３を有し、これにより取り付け固定される。【選択図】  図１
2006147006.tif 000002
【特許請求の範囲】
【請求項１】
ディスク駆動機構が筐体内に収容されてなるディスク駆動装置であって、
前記筐体の底面に開口部または凹部の少なくとも一方、及び突出部が設けられるとともに、少なくとも前記筐体の底面に設けられた開口部または凹部の一部を覆ってプレートが装着され、
前記プレートは、前記突出部に対応して開口孔が設けられ、当該開口孔に前記突出部を嵌合することにより位置決めされて装着されていることを特徴とするディスク駆動装置。
【請求項２】
前記プレートは、周縁に前記筐体の底面の周縁部に形成されたスリットに係止する係止片を有することを特徴とする請求項１記載のディスク駆動装置。
【請求項３】
駆動されるディスクが、フレキシブルディスクであることを特徴とする請求項１または２記載のディスク駆動措置。
【発明の詳細な説明】
【技術分野】
【０００１】
本発明は、例えばフレキシブルディスクに対して書き込みや読み込みを行うディスク駆動装置に関するものであり、特に、筐体構造の改良に関する。
【背景技術】
【０００２】
携帯型のパーソナルコンピュータ（いわゆるノートパソコン）等の普及に伴い、例えばフレキシブルディスクドライブ（ＦＤＤ）等のディスク駆動装置に対しても、小型化、薄型化、軽量化等の要求が厳しくなってきており、これに対応して、各機構部分や構造部分等に様々な工夫が凝らされてきている。
【０００３】
ディスク駆動装置は、通常、フレーム（筐体）内に種々の処理回路が組み込まれた配線基板や、ディスクテーブルやディスクを回転駆動するスピンドルモータ、ディスクの径方向に往復動される磁気ヘッド等の機構部品を収容することにより構成されており、例えばＦＤＤの場合、前記磁気ヘッドにより磁気ディスク（フレキシブルディスク）に対する情報の書き込み、読み出しが行われる。
【０００４】
フレームは、板厚が１ｍｍ以下程度の板金を加工することにより作製されるが、前記ノートパソコンに内蔵されるディスク駆動装置としては、全体の厚さが７〜８ｍｍ程度で、この中に前記配線基板や機構部品を収納し、取り付け固定したものが開発されている。
【０００５】
ところで、ディスク駆動装置の薄型化に伴い、フレームに使用する板金の薄さも薄くなる傾向にあり、フレームの剛性や強度が不足する傾向にある。そのため、効果的にフレームの剛性や強度を向上させる方法が要望され、例えば、補強プレートを接合することが提案されている（特許文献１や特許文献２等を参照）。
【０００６】
特許文献１には、磁気ヘッド、配線基板、ディスクテーブル等の機能部品とそれらを収納保持するための上面が開口した薄箱状のフレームとを備え、前記フレームの底面に、該底面の１／２以上を覆うように厚みが１ｍｍ以下の薄金属板材からなる補強プレートを接合してなるディスク駆動装置が開示されている。フレームの底面に補強プレートを接合することで、他の部分に補強材を固定したり特殊加工を施す等して補強した場合に比して、全体が撓曲し難くなり、全体の厚みが可及的に抑えられるとともに、合理的かつ効果的にしかも低コストでフレームの剛性・強度を向上させることができる。
【０００７】
特許文献２にも、上面が開口した薄い箱状のフレームと、このフレーム内に収納・保持された磁気ヘッド、配線基板、ディスクテーブル等の機能部品とを含んでいる、ディスクに対する記録・再生を行うためのディスク駆動装置において、上記フレームが、比較的薄い板厚の板金から構成されていると共に、このフレームの底部下面に、薄い補強用プレートが貼着されているディスク駆動装置が開示されている。この特許文献２記載の発明においても、補強プレートを貼着することで、強度および耐衝撃性を低下させることなく、重量を低減させ、低コスト化に対応できるようにしている。
【特許文献１】実開平７−４３５４３号公報
【特許文献２】特開平１０−１９９２０８号公報
【発明の開示】
【発明が解決しようとする課題】
【０００８】
ところで、前記ディスク駆動装置のフレームにあっては、内部に収容する機構部品の形状や大きさ、さらには調整機構の必要性等から、特に、底面部分に凹部や開口部、突出部
等が設けられており、これが外観を損なったり、ディスク駆動装置の取り付けの際に作業性の低下をもたらしたり、塵埃が侵入する要因となる等、ディスク駆動装置の商品価値を低下する原因となっている。
【０００９】
例えば、凹部や開口部を塞ぐだけであれば、特許文献１記載の発明や特許文献２記載の発明のように補強プレートを接合することが有効であると考えられるが、底面に突出部が形成されている場合には、特許文献１や特許文献２に記載される補強プレートでは対応が難しい。また、特許文献１記載の発明では、補強プレートはスポット溶接により接合されており、特許文献２記載の発明では、補強プレートは接着剤で貼着されているが、このような方法で接合した場合、補強プレートを取り外すことはできず、例えば必要に応じてプレートを取り外し、調整用孔において機能部品を調整する等の作業を行うことはできない。さらに、特許文献１や特許文献２記載の発明では、補強プレートの接合に際し、何ら位置決め機構がないため、作業性が悪い上に、取り付け位置や取り付け方向にバラツキが生ずる可能性もある。
【００１０】
本発明は、このような不都合を解消することを目的に提案されたものである。すなわち、本発明は、筐体の底面に突出部が形成されている場合にも、これを回避しながら開口部や凹部を塞ぐことができ、しかもプレートの取り付けに際して位置決めも行うことが可能なディスク駆動装置を提供することを目的とする。また、本発明は、プレートの筐体に対する取り付けが簡単で、しかも必要に応じて着脱自在とすることが可能なディスク駆動装置を提供することを目的とする。
【課題を解決するための手段】
【００１１】
前述の目的を達成するために、本発明のディスク駆動装置は、ディスク駆動機構が筐体内に収容されてなるディスク駆動装置であって、前記筐体の底面に開口部または凹部の少なくとも一方、及び突出部が設けられるとともに、少なくとも前記筐体の底面に設けられた開口部または凹部の一部を覆ってプレートが装着され、前記プレートは、前記突出部に対応して開口孔が設けられ、当該開口孔に前記突出部を嵌合することにより位置決めされて装着されていることを特徴とする。
【００１２】
本発明のディスク駆動装置では、筐体の底面に設けられた突出部に対応してプレートに開口孔が設けられているので、突出部がプレート接合の邪魔になることがない。また、突出部は、プレートの開口孔に嵌合されて位置決め部としての機能を果たし、プレートの取り付けに際して、正確な位置決めが実現され、プレートの取り付け位置や取り付け方向にバラツキが生ずることもない。さらに、プレートに設けられた開口孔は、前記突出部によって塞がれることになるので、ディスク駆動装置の底面の平坦性が保たれ、良好な外観を呈すると同時に、ディスク駆動装置の取り付けの際の作業性も良好なものとなり、塵埃が侵入することもない。
【００１３】
また、本発明のディスク駆動装置においては、前記プレートは、周縁に前記筐体の底面の周縁部に形成されたスリットに係止する係止片を有することを特徴とする。プレートを前記係止片の係止により筐体に取り付けるようにすることで、筐体に対して着脱自在となり、例えば必要に応じてこれを取り外し、調整用孔において各種調整作業を行うことが可能となる。プレートの取り付けも、前記係止片の係止だけで済み、例えば溶接や接着等の煩雑な作業は不要である。
【発明の効果】
【００１４】
本発明のディスク駆動装置によれば、筐体の底面に突出部が形成されている場合にも、これを回避しながら開口部や凹部を塞ぐことができ、しかもプレートの取り付けに際して位置決めも行うことが可能である。また、本発明のディスク駆動装置によれば、プレート
の筐体に対する取り付けを簡単なものとすることができ、しかも必要に応じて着脱自在とすることが可能である。
【発明を実施するための最良の形態】
【００１５】
以下、本発明を適用したディスク駆動装置の具体的な実施形態について、図面を参照しながら説明する。
【００１６】
図１及び図２は、本発明を適用したディスク駆動装置の一構成例を示すものであり、図１はプレートを取り外した状態、図２はプレートを取り付けた状態を示す。これら図１や図２に示すように、本実施形態のディスク駆動装置は、金属製の筐体１内に、種々の処理回路が組み込まれた配線基板や、ディスクテーブルやディスクを回転駆動するスピンドルモータ、ディスクの径方向に往復動される磁気ヘッド等のディスク駆動機構を構成する機構部品を収容し、所定の位置に固定することにより構成されている。前記筐体１は、アルミニウム板や鋼板等の金属板を折り曲げ加工することにより形成された下フレーム２及び上フレーム３とから構成されており、これらを上下に組み合わせることで、筐体１の上面、側面、底面が構成されている。また、前記下フレーム２及び上フレーム３により構成される筐体１の前面には、開口を塞ぐ形で前面パネル４が取り付けられている。
【００１７】
前面パネル４には、ディスク（本例では、フレキシブルディスク）の挿入、取り出しを行うディスク挿入口５、挿入されたフレキシブルディスクを取り出し操作するための操作ボタン６、さらにはディスク挿入状態を示すインジケータランプ７等が設けられている。ディスク挿入時には、操作ボタン６が突出し、インジケータランプ７が点灯する。ディスク取り出しの際には、操作ボタン６を押し込むことで、イジェクト操作が行われる。
【００１８】
一方、前記筐体１を構成する下フレーム２には、内部に収容される機構部品の構造や大きさに応じて、あるいは調整用のために、凹部８や開口部９，さらには突出部１０が設けられている。例えば、筐体１の薄型化に十分に対応しきれない部品等を収容するためには、下フレーム２に突出部１０を設け、これにより拡大された空間内に機構部品を収容するようにしている。また、調整が必要な部品、例えば磁気ヘッド等に対応して調整用の孔が開口部９として設けられている。あるいは、駆動軸用の孔等が開口部９として形成されている。
【００１９】
前記のように筐体１の底面（下フレーム２）に凹部８や開口部９が形成されていると、外観を損なう原因となり、またディスク駆動装置の円滑な取り付けの妨げとなったり、塵埃の侵入を許し、故障の原因等となるおそれがある。そこで、本実施形態では、この下フレーム２の凹部８や開口部９を塞ぐ形でプレート１１を取り付けるようにしている。
【００２０】
プレート１１は、筐体１を構成する下フレーム２と同様、金属板により形成されるが、勿論、これに限らず、他の材質により形成するようにしてもよい。また、本実施形態では、前記プレート１１は、比較的大きな凹部８や開口部９を覆って下フレーム２の概ね１／２を覆うように取り付けられているが、これに限らず、例えば下フレーム２の底面とほぼ同じサイズとし、下フレーム２の底面の全体を覆うようにしてもよい。
【００２１】
さらに、前記プレート１１には、前記下フレーム２に設けられた突出部１０に対応して、開口孔１２が形成されている。この開口孔１２の形状は、前記突出部１０の形状とほぼ同じであり、したがって、プレート１１の取り付けに際しては、この開口孔１２の形状が前記突出部１０の形状と合致するようにすることで、プレート１１の取り付け方向を自ずと把握することができる。また、プレート１１の取り付け時には、前記開口孔１２と突出部１０が位置決め機構の役割を果たす。すなわち、プレート１１を下フレーム２に取り付けると、プレート１１に設けられた開口孔１２に下フレーム２の突出部１０が嵌合される。
その結果、プレート１１は下フレーム２に対して位置決めされた状態で取り付けられ、取り付け方向や取り付け位置にバラツキが生ずることがなくなる。
【００２２】
また、前記プレート１１の下フレーム２への取り付けは、係止片１３を利用して行われている。図１に示すように、プレート１１の両側縁には、プレート１１の四隅に対応して係止片１３が４カ所に形成されている。これら係止片１３は、いわゆる係止爪であり、ピン状部分とプレート１１の周縁の間で下フレーム２を構成する金属板をくわえ込むような構成とされている。
【００２３】
したがって、プレート１１の取り付けに際しては、前記係止片１３を下フレーム２の底面の周縁部（角部）に設けられたスリット１４に挿入し、所定の方向にスライドさせる。これにより、係止片１３によって下フレーム２の金属板がくわえ込まれた状態となり、プレート１１が取り付け固定される。また、取り付け後、前記とは逆方向にスライドさせれば、前記係止片１３による係止状態が解除され、プレート１１が取り外される。
【００２４】
このように、本実施形態のディスク駆動装置では、プレート１１を取り付け固定するために、溶接や接着等の方法を用いる必要がなく、簡単に取り付けすることが可能である。また、プレート１１は着脱自在であり、例えば必要に応じてこれを取り外し、調整等の作業を行うことも可能である。
【図面の簡単な説明】
【００２５】
【図１】本発明を適用したディスク駆動装置の一構成例を示すものであり、プレートを取り外した状態を示す分解斜視図である。
【図２】プレートを取り付けた状態を示す斜視図である。
【符号の説明】
【００２６】
１  筐体、２  下フレーム、３  上フレーム、４  前面パネル、５  ディスク挿入口、６
操作ボタン、７  インジケータランプ、８  凹部、９  開口部、１０  突出部、１１  プレート、１２  開口孔、１３  係止片、１４  スリット
【図１】
2006147006.tif 000003
【図２】
2006147006.tif 000004